(57)【要約】      （修正有）【課題】いままでの住宅火災報知機（簡易式）で、一階と二階など（離れた部屋）睡眠時・音楽鑑賞などで、発見が遅れる問題を解決する。【解決手段】本体に送受信機能（基盤）・設定スイッチ・フルカラーＬＥＤを増加し、個別に設定スイッチの色を任意設定しておき、火災元の設定色を別の火災報知器で発色（火元をカラー表示）及び警告音で警報させるようにした。配線工事や複雑な装置の併用することなく、十分な効果を得ることができる。【選択図】図１
0003138419.tif 000002
【実用新案登録請求の範囲】
【請求項１】
火災報知機に送受信機能を内蔵させ、火災時に火元場所だけ警報するのでなく、信号を各部屋（報知器）に送り、いち早く警報を促す火災報知機。
【請求項２】
火災報知機の警報ランプにフルカラーＬＥＤを使い、設定スイッチ（色分け）で設定された色（火元）が他の（別部屋）火災報知機の受信によりＬＥＤ発光（色表示）され火元の部屋が確認できる火災報知機。
【考案の詳細な説明】
【技術分野】
【０００１】  本考案は、住宅火災報知機（簡易式）に送受信機能を個別に持たせ火災時に、他機に信号を送り各部屋ごとに表示及び警報出来るため、発見を早め、睡眠時や死角（離れ部屋）への警報及び火元場所の特定にすぐれている。
また火元表示をフルカラーＬＥＤにすることにより、一目で場所（火元）確認ができるほかシンプル且つコストダウンを測ることができる。
【背景技術】
【０００２】  住宅火災報知機（簡易式）において、感知方式など改良が進む一方、感知信号を離れた携帯装置やメイン装置に送り警報や情報管理を行っている。【０００３】  今までの簡易式住宅用火災報知機であると複数台設置しても、出火時、別の部屋で（熟睡時・音楽鑑賞・難聴・防音構造・二階）などさまざまな要因で火元の警報機音が認識できないことが起こりえる。【０００４】  これらの改善策として、個別の火災報知機に送受信機能及び制御（基盤回路など）を内蔵させ、お互いを監視し離れた現場（火元）を表示（ＬＥＤ発色）及び警告音により安全を図る。
【考案の開示】
【考案が解決しようとする課題】
【０００５】  解決しようとする問題点は、火元の火災報知機から離れた部屋や、さまざまな状況（熟睡時・音楽鑑賞・難聴・防音構造・二階）においても確認（警報）できるようにするため、個別に送受信機能（基盤）を持った構造とし、互いの警報信号を受信し、火災時には、送信することにより火元を別の場所（火災報知機）にも警報できるようにした。【０００６】  また避難経路や消火場所等の確認のため、文字表示より簡素表示されることが望ましい。これらの問題を解決するため警報時の表示をフルカラーＬＥＤにすることにより、固別に色設定されている（任意で色のセット）火災報知機の信号を、火災時送信しその他の部屋でも発光色により（任意セットした色）で火災場所が特定できるようにした。
【考案の効果】
【０００７】  本考案は火災報知機に送受信機能及び制御（基盤回路など）を内蔵し、互いを監視することにより、配線や付属の機器（警報機・携帯装置・メイン制御）が無くとも警報音が届きにくい場所や聞き取り難い時（熟睡時・音楽鑑賞など）他の部屋に危険を知らせることができ、コストをかけず同様の安全を得ることが可能になる。【０００８】  また警報時の表示をフルカラーＬＥＤにすることにより、固別に色設定されているシグナルを、火災時送信し火災場所が他機のＬＥＤ発色で特定（任意セットした色）できるようにし、非難経路や初期消火に役立つようにした。
【考案を実施するための最良の形態】
【０００９】本考案の火災報知機は、二台以上設置することで全システムの能力が発揮される。また常時受信のため、消費電力の少ない電子部品・回路を使い、リチウム電池の増量も考えたほうがよい。
本考案の構造は外部電源使用にも応用できるものであり、条件により選ぶことができる。
【実施例１】
【００１０】  図１は本考案の火災報知機が火災を確認し警報する構成や識別方を図式にしたものである。
最初に火災報知機は発色・図２（ａ）で場所を特定するため互いの設定スイッチ・図２（ｅ）で色分けします。例えば（Ａ・Ｂ＝緑）（Ｃ＝青）（Ｄ＝赤）と切り替え設定しておきます。そこで火災がＣで発生した場合、信号がＡ・Ｂ・Ｄで受信し警報音と青色で表示される。
またＡ・Ｂどちらで火災が発生してもＣ・Ｄの表示・図２（ａ）は緑となる。【００１１】ＬＥＤの警報表示色は認識しやすい色数が少ないが個室別に分けず二階部分（緑）、一階南部分（赤）、一階北側部分（青）などグループで色設定し、取り付け数に制限を受けない。
【実施例２】
【００１２】  図２は火災報知機の普及型を構造断面で表したもので、（ａ）フルカラーＬＥＤ・（ｂ）火災感知部・（ｃ）警報ブザー・（ｄ）基盤・（ｅ）設定スイッチ・（ｆ）電源部で構成されており、今までの火災報知機との違いは、基盤部・図２（ｄ）に送受信機能・ＬＥＤ制御機能・設定スイッチをプラスし、互を監視し合い他機の警報情報を受信でき発色図２（ａ）と警報音・図２（ｃ）で警告できる構造とした。
【産業上の利用可能性】
【００１３】今までのホームネットワーク型や親機（火災感知）・子機（受信機器）のような装置であると、既存住宅に取り付ける場合、配線工事の問題や付属機器が必要であった。この考案は、これらを必要せず情報伝達することができ、大きなコストダウンにつながる。
【図面の簡単な説明】
【００１４】
【図１】火災報知機の実施方法を示した説明図である。
【図２】火災報知機の普及型の断面を示した説明図である。
【符号の説明】
【００１５】（ａ）  フルカラーＬＥＤ
（ｂ）  火災感知部
（ｃ）  警報ブザー
（ｄ）  基盤
（ｅ）  設定スイッチ
（Ｆ）  電池
【図１】
0003138419.tif 000003
【図２】
0003138419.tif 000004
【手続補正書】
【提出日】平成19年4月27日(2007.4.27)
【手続補正１】
【補正対象書類名】実用新案登録請求の範囲
【補正対象項目名】全文
【補正方法】変更
【補正の内容】
【実用新案登録請求の範囲】
【請求項１】
火災報知器に送信・受信の機能を内蔵させ、火災発生時に火元場所だけ警報するのでなく、信号を各部屋の報知器に送り、いち早く発生場所及び警報を知らせる火災報知器。
【請求項２】
前項の警報ランプにフルカラーＬＥＤを使い、火元となった場合、設定スイッチの設定色が他の部屋の火災報知器により受信され、ＬＥＤに色表示され、火元場所が特定できることを特徴とする請求項１記載の火災報知器。
【手続補正３】
【補正対象書類名】明細書
【補正の内容】
0003138419.tif 000005
【手続補正４】
【補正対象書類名】明細書
【補正対象項目名】００１４
【補正方法】変更
【補正の内容】
【００１４】
【図１】火災報知器の実施例の構成を示すブロック図である。
【図２】火災報知器の普及型の断面を示した断面図である。
【図３】火災報知器の実施例の配置と設定（色）を示す配置図である。
【手続補正５】
【補正対象書類名】明細書
【補正対象項目名】００１５
【補正方法】変更
【補正の内容】
【００１５】１    フルカラーＬＥＤ
２    警報ブザー
３    制御基盤部
４    電源部
５    火災感知部
６    設定スイッチ
７    受信部
８    送信部
【手続補正６】
【補正対象書類名】図面
【補正対象項目名】全図
【補正方法】変更
【補正の内容】
【図１】
0003138419.tif 000006
【図２】
0003138419.tif 000007
【図３】
0003138419.tif 000008
【手続補正書】
【提出日】平成19年8月16日(2007.8.16)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】  本考案は、住宅用火災報知機（簡易式）に送受信機能を個別に持たせ、火災時に他機に信号を送り、各部屋に表示及び警報出来るため、発見を早め、睡眠時や死角（離れ部屋）への警報及び火元場所の特定にすぐれている。
また火元表示をフルカラーＬＥＤにすることにより、一目で場所（火元）確認ができるほかシンプル且つコストダウンを測ることができる。
【背景技術】
【０００２】  住宅用火災報知機（簡易式）において、感知方式など改良が進む一方、感知信号を離れた携帯装置やメイン装置に送り、警報や情報管理を行っている。【０００３】今までの簡易式住宅用火災報知機であると、複数台設置しても、出火時別の部屋で、（熟睡時・音楽鑑賞・難聴・防音構造・二階）さまざまな要因で火元の警報機音が認識できないことが起こりえる。【０００４】これらの改善策として、個別の火災報知機に送受信機能及び制御回路（基盤回路など）を内蔵させ、お互いを監視し、離れた現場（火元）を表示（ＬＥＤ発色）及び警告音により安全を図る。
【考案の開示】
【考案が解決しようとする課題】
【０００５】  解決しようとする問題点は、火元の火災報知機から離れた部屋や、さまざまな状況（熟睡時・音楽鑑賞・難聴・防音構造・二階）においても確認（警報）できるようにするため、個別に送受信機能（基盤）を持った構造とし、互いの警報信号を受信し、火災時には、送信することにより火元を別の場所（別の火災報知機）にも警報できるようにした。【０００６】  また避難経路や消火場所等の確認のため、文字表示より簡素表示されることが望ましい。これらの問題を解決するため警報時の表示をフルカラーＬＥＤにすることにより、固別に色設定されている（任意で色のセット）火災報知機の信号を、火災時送信しその他の部屋でも発光色により（任意セットした色）で火災場所が特定できるようにした。
【考案の効果】
【０００７】  本考案は火災報知機に送受信機能及び制御（基盤回路など）を内蔵し、互いを監視することにより、配線や付属の機器（警報機・携帯装置・メイン制御）が無くとも警報音が届きにくい場所や、聞き取り難い時（熟睡時・音楽鑑賞など）他の部屋に危険を知らせることができ、コストをかけず同様の安全を得ることが可能になる。【０００８】  また警報時の表示をフルカラーＬＥＤにすることにより、固別に色設定されているシグナルを、火災時送信し火災場所が他機のＬＥＤ発色で特定（任意セットした色）できるようにし、非難経路や初期消火に役立つようにした。
【考案を実施するための最良の形態】
【０００９】  本考案の火災報知機は、二台以上設置することで全システムの能力が発揮される。
また常時受信のため、消費電力の少ない電子部品・回路を使い、リチウム電池の増量も考えたほうがよい。
本考案の構造は外部電源使用にも応用できるものであり、条件により選ぶことができる。
【実施例１】
【００１０】  図１は、本考案の火災報知器が火災を確認し、警報する構成や識別方の実施例を示すブロック図である。
始めに設置場所（自機）の色指定を、設定スイッチ６により各色に設定する。例えば自機を青に設定し、自機が火元の場合火災感知部５より信号が制御部３へ伝わり、色警報部１・音警報部２へ指令警報すると同時に、他機信号発信部８より無線発信で、信号（青）が各機に送信され、各機の他機信号受信部７にて受信され制御部３で色警報部１へ青の色が表示され、音警報部２へも警告されることで、火元の確認や出火を離れた場所でいち早く確認できる。
【実施例２】
【００１１】  図２は火災報知器の普及型を構造断面で表記したもので、図１の色警報部１が図２・フルカラーＬＥＤ１にあたり、図１の音警報部２が図２・警報ブザー２にあたる。設定スイッチ６により個々の色設定が出来、制御基盤に受信機能７・送信機能８が配置されており、互いに個々の信号を受信部７で受信しているため、火災時に火元の情報（色）が送信部８より発信され場所特定される。
【実施例３】
【００１２】  図３は、火災報知器の実施方法でスイッチ設定と色警報部の関係を現場別に示した図である。
実施例１・２より、火災元の特定のため設定を例えば（ＡＢ＝緑）（Ｃ＝青）（Ｄ＝赤）と設定し、火災がＣで発生した場合、Ｃの信号（青）が各Ａ・Ｂ・Ｄ機で受信され青の警報色で表示される。
またＡ・Ｂどちらで火災が起きても、その他の機は緑で表示される。
【産業上の利用可能性】
【００１３】今までのホームネットワーク型や親機（火災感知）・子機（受信機器）のような装置であると、既存住宅に取り付ける場合、配線工事の問題や付属機器が必要であった。この考案は、これらを必要せず情報伝達することができ、大きなコストダウンにつながる。
【図面の簡単な説明】
【００１４】
【図１】火災報知機の実施例の構成を示すブロック図である。
【図２】火災報知機の普及型の断面を示した断面図である。
【図３】火災報知機の実施例の配置と設定（色）を示す配置図である。
【符号の説明】
【００１５】１  フルカラーＬＥＤ
２  警報ブザー
３  制御基盤部
４  電源部
５  火災感知部
６  設定スイッチ
７  受信部
８  送信部
【手続補正２】
【補正対象書類名】手続補正書
【補正対象項目名】手続補正３
【補正方法】削除
【補正の内容】
【手続補正３】
【補正対象書類名】手続補正書
【補正対象項目名】手続補正４
【補正方法】削除
【補正の内容】
【手続補正４】
【補正対象書類名】手続補正書
【補正対象項目名】手続補正５
【補正方法】削除
【補正の内容】